(57)【要約】【課題】簡素な構成で、意匠仕様の多様化に早急に対応することができるエレベータのカゴ室を提供する。【解決手段】カゴ室壁４に設けられ、意匠面又は展望面からなる観賞面を、カゴ内側へ向けた観賞部６と、観賞部６よりもカゴ内側で、意匠面をカゴ内側へ向けた状態で、カゴ室壁４に沿って開閉移動可能に設けられ、閉状態の時は、観賞部６の観賞面を、カゴ内側から遮蔽し、開状態の時は、観賞部６の観賞面を、カゴ内側へ露出させる意匠扉７とを備えた。【選択図】図２
2009208924.tif 000002
【特許請求の範囲】
【請求項１】
カゴ室壁に設けられ、意匠面又は展望面からなる観賞面を、カゴ内側へ向けた観賞部と、
前記観賞部よりも前記カゴ内側で、意匠面を前記カゴ内側へ向けた状態で、前記カゴ室壁に沿って開閉移動可能に設けられ、
閉状態の時は、前記観賞部の前記観賞面を、前記カゴ内側から遮蔽し、
開状態の時は、前記観賞部の前記観賞面を、前記カゴ内側へ露出させる意匠扉と、
を備えたことを特徴とするエレベータのカゴ室。
【請求項２】
前記意匠扉は、難燃材からなることを特徴とする請求項１記載のエレベータのカゴ室。
【請求項３】
呼びの未登録時は、前記意匠扉を閉状態とし、
呼びの登録時は、前記意匠扉を開状態とする意匠扉開閉装置、
を備えたことを特徴とする請求項１又は請求項２に記載のエレベータのカゴ室。
【請求項４】
前記意匠扉は、障子からなることを特徴とする請求項１〜請求項３のいずれかに記載のエレベータのカゴ室。
【請求項５】
前記意匠扉よりも前記カゴ内側で、前記カゴ室壁に沿って開閉移動可能に設けられた防火扉と、
呼びの未登録時は、前記意匠扉を前記カゴ内側から遮蔽するように、前記防火扉を閉状態とし、
呼びの登録時は、前記意匠扉を前記カゴ内側へ露出させるように、前記防火扉を開状態とする防火扉開閉装置と、
を備えたことを特徴とする請求項１〜請求項４のいずれかに記載のエレベータのカゴ室。
【発明の詳細な説明】
【技術分野】
【０００１】
この発明は、意匠の仕様に多様化に対応するエレベータのカゴ室に関するものである。
【背景技術】
【０００２】
意匠性向上のため、絵柄入りパネルを備えたエレベータのカゴ室が提案されている（例えば、特許文献１参照）。
【０００３】
【特許文献１】特開平１０−１５７９４８号公報
【発明の開示】
【発明が解決しようとする課題】
【０００４】
しかし、特許文献１記載のものは、早急にパネルを変更することができない。このため、カゴ室の意匠仕様の多様化に早急に対応できなかった。
【０００５】
この発明は、上述のような課題を解決するためになされたもので、その目的は、簡素な構成で、意匠仕様の多様化に早急に対応することができるカゴ室を提供することである。
【課題を解決するための手段】
【０００６】
この発明に係るエレベータのカゴ室は、カゴ室壁に設けられ、意匠面又は展望面からなる観賞面を、カゴ内側へ向けた観賞部と、前記観賞部よりも前記カゴ内側で、意匠面を前記カゴ内側へ向けた状態で、前記カゴ室壁に沿って開閉移動可能に設けられ、閉状態の時は、前記観賞部の前記観賞面を、前記カゴ内側から遮蔽し、開状態の時は、前記観賞部の前記観賞面を、前記カゴ内側へ露出させる意匠扉とを備えたものである。
【発明の効果】
【０００７】
この発明によれば、簡素な構成で、意匠仕様の多様化に早急に対応するエレベータのカゴ室を提供することができる。
【発明を実施するための最良の形態】
【０００８】
この発明を実施するための最良の形態について添付の図面に従って説明する。なお、各図中、同一又は相当する部分には同一の符号を付しており、その重複説明は適宜に簡略化ないし省略する。
【０００９】
実施の形態１．
図１はこの発明の実施の形態１におけるエレベータのカゴ室をカゴの出入口側から見た正面図であって、意匠扉が閉状態となっている場合を示した図である。図２はこの発明の実施の形態１におけるエレベータのカゴ室をカゴの出入口側から見た正面図であって、意匠扉が開状態となっている場合を示した図である。図３はこの発明の実施の形態１におけるエレベータのカゴ室の縦断面図である。
【００１０】
図１〜図３において、１はカゴ床である。このカゴ床１の上方には、カゴ天井２が設けられる。このカゴ天井２の中央には、照明カバー３が設けられる。そして、カゴ床１縁部及びカゴ天井２縁部間には、カゴ室壁４が立設される。かかる構成のカゴ床１、カゴ天井２、カゴ室壁４により、カゴ室５が構成される。
【００１１】
６は観賞部である。この観賞部６は、意匠面を、カゴ内側へ向けて、カゴ室壁４に着脱自在に設けられる。本実施の形態では、観賞部６は、カゴ室壁４の上部に配置される意匠パネルからなる。この意匠パネルの幅は、カゴ室壁４の略全幅からなる。この意匠パネルは、例えば、絵画等からなる。具体的には、絵画等は、四季の変化に応じた日本庭園、山水画、風景画、掛け軸等である。
【００１２】
この観賞部６よりもカゴ内側には、意匠扉７が設けられる。この意匠扉７は、意匠面をカゴ内側へ向けた状態で、カゴ室壁４に沿って開閉移動可能に設けられるものである。そして、意匠扉７が閉状態の時は、観賞部６の観賞面がカゴ内側から遮蔽される。一方、意匠扉７が開状態の時は、観賞部６の観賞面がカゴ内側へ露出される。
【００１３】
本実施の形態では、意匠扉７は、中央開きの障子からなる。具体的には、両側二枚の障子は、固定されている。一方、中央二枚の障子は、開閉移動可能に設けられる。この障子の枠、桟、紙等の部分は、難燃性を有する材料からなる。障子全体の側面幅は、可能な限り薄型化される。かかる薄型化により、障子の軽量化、カゴ室５のスペースの確保が図られる。そして、中央二枚の障子は、框８に水平方向に案内される。この框８は、観賞部６の上下縁部近傍で、カゴ室壁４の略全幅に渡って、設けられるものである。
【００１４】
なお、下部側の框８には、カゴ室壁４の略全幅に渡って、鉛直方向に貫通する差込口（図示せず）が形成される。この差込口は、観賞部６が鉛直方向に貫通可能である。即ち、図３に示すように、鑑賞部６は、下方から差込口を貫通し、カゴ室壁４上部に取り付けられる。これにより、観賞部６は、カゴ室壁４の所定の位置に配置される。そして、観賞部６は、上方から差込口を貫通し、取り外される。
【００１５】
次に、図１及び図２を用いて、カゴ内の意匠の変更方法を説明する。
図１は、意匠扉７が閉状態となっている場合を示している。この場合、意匠扉７は、観賞部６を、カゴ内側から遮蔽する。このため、観賞部６は、カゴ内側から観賞されない。即ち、カゴ室壁４の意匠は、専ら意匠扉７から構成される。
【００１６】
図２は、意匠扉７が開状態となっている場合を示している。この場合、意匠扉７は、観賞部６を、カゴ内側へ露出する。このため、観賞部６は、カゴ内側から観賞される。即ち、カゴ室壁４の意匠は、意匠扉７の一部と、観賞部６から構成される。
【００１７】
即ち、本実施の形態におけるカゴ室５は、意匠扉７の開閉により、カゴ室５の意匠を変化させることができる構成となっている。
【００１８】
以上で説明した実施の形態１によれば、意匠扉７の開閉により、カゴ室５の意匠を変化させることができる。このため、簡素な構成で、顧客ニーズに合わせたカゴ室５の意匠仕様の多様化に対応できる。また、観賞部６は、交換可能な構成となっている。このため、意匠仕様の多様化により適切に対応できる。
【００１９】
さらに、観賞部６を和風のものとし、意匠扉７を障子とすることで、高級感のある純和風の意匠を構成することができる。また、カゴ室壁４のペイントよりも立体感がある。このため、本発明のカゴ室５は、日本情緒を売りにするホテル、旅館、観光施設、公共施設、個人所有のエレベータ等に対して、意匠面で優位性がある。加えて、エレベータに閉じ込め故障が発生した場合でも、利用者の精神を和ませる効果がある。
【００２０】
なお、観賞部６は、展望用エレベータの展望面を構成するガラス窓としてもよい。これにより、カゴ内から、昇降路外の風景を観賞できる。また、観賞部６及び意匠扉７をカゴ両側のカゴ室壁４に設けても、同様の効果が得られる。
【００２１】
実施の形態２．
図４はこの発明の実施の形態２におけるエレベータのカゴ室の縦断面図である。なお、実施の形態１と同一又は相当部分には同一符号を付して説明を省略する。
【００２２】
実施の形態２においては、上部側の框８上方に、意匠扉開閉装置９が設けられる。この意匠扉開閉装置９は、意匠扉７を開閉駆動するものである。この意匠扉開閉装置９は、意匠扉７を開閉するものであれば、特に限定されない。以下、意匠扉開閉装置９の一例として、エレベータドアの駆動装置と同様のものを説明する。
【００２３】
即ち、詳細は図示しないが、意匠扉開閉装置９の収納部には、ハンガーレールが設けられる。このハンガーレールには、ハンガーローラーが設けられる。このハンガーローラーは、ハンガーレールに沿って駆動するものである。そして、ハンガーローラーに障子が取り付けられる。かかる構成により、意匠扉７が吊り下げられる。
【００２４】
さらに、意匠扉開閉装置９の収納部には、駆動モーターが設けられる。この駆動モーターは、連動チェーン又はベルトで動力をハンガーローラーに伝達する。かかる伝達により、意匠扉７が開閉する。この駆動モーターは、制御盤に接続される。そして、制御盤内演算部の指令に従い、駆動モーターが、電動で動作する。
【００２５】
かかる構成のエレベータのカゴ室５においては、制御盤のカゴ呼び及び乗場呼びの検出時は、駆動モーターが、意匠扉７を開状態とするように、動作する。一方、カゴ呼び及び乗場呼びがなく、制御盤の待機検出時及び非常検出時は、駆動モーターが、意匠扉７を閉状態とするように、動作する。
【００２６】
以上で説明した実施の形態２によれば、呼びの未登録時は、意匠扉７が閉状態となる。即ち、カゴが利用者に利用されていないときは、自動的に、難燃性の意匠扉７により意匠部が遮蔽される。このため、実施の形態１に比べ、火災予防効果、埃等の侵入防止効果がある。なお、意匠扉７を構成する障子は、軽量化が図られている。このため、意匠扉開閉装置９の動力は、小さくてもよい。
【００２７】
実施の形態３．
図示しないが、実施の形態３においては、実施の形態１に防火扉及び防火扉開閉装置を付加したものである。なお、実施の形態１と同一又は相当部分には同一符号を付して説明を省略する。
【００２８】
防火扉は、意匠扉７よりもカゴ内側で、カゴ室壁４に沿って移動可能に設けられるものである。そして、防火扉開閉装置は、実施の形態２における意匠扉開閉装置９が意匠扉７を駆動するのと同様に、防火扉を駆動するものである。即ち、呼びの未登録時においては、防火扉開閉装置は、意匠扉７をカゴ内側から遮蔽するように、防火扉を閉状態とする。一方、呼びの登録時においては、防火扉開閉装置は、意匠扉７をカゴ内側へ露出するように、開状態とする。
【００２９】
以上で説明した実施の形態３によれば、実施の形態２に比べ、火災予防効果を高めることができる。
【図面の簡単な説明】
【００３０】
【図１】この発明の実施の形態１におけるエレベータのカゴ室をカゴの出入口側から見た正面図であって、意匠扉が閉状態となっている場合を示した図である。
【図２】この発明の実施の形態１におけるエレベータのカゴ室をカゴの出入口側から見た正面図であって、意匠扉が開状態となっている場合を示した図である。
【図３】この発明の実施の形態１におけるエレベータのカゴ室の縦断面図である。
【図４】この発明の実施の形態２におけるエレベータのカゴ室の縦断面図である。
【符号の説明】
【００３１】
１  カゴ床、  ２  カゴ天井、  ３  照明カバー、  ４  カゴ室壁、  ５  カゴ室、
６  観賞部、  ７  意匠扉、  ８  框、  ９  意匠扉開閉装置
【図１】
2009208924.tif 000003
【図２】
2009208924.tif 000004
【図３】
2009208924.tif 000005
【図４】
2009208924.tif 000006